(57)【要約】【課題】  タービンエンジン（１００）で使用する移行部品（２３０）を提供する。【解決手段】本移行部品は、燃焼器組立体（１０４）の内壁（２４０）と、第１の端部（２３３）及び対向する第２の端部（２３５）を備えた冷却スリーブ（３００）とを含み、冷却スリーブは、内壁との間に環状通路（２３８）を形成するように該内壁に結合され、第１の端部は、環状入口（２３７）を形成し、また第２の端部は、環状出口（３０６）を形成する。【選択図】      図３
2010159753.tif 000002
【特許請求の範囲】
【請求項１】
タービンエンジン（１００）で使用する移行部品（２３０）であって、
燃焼器組立体（１０４）の内壁（２４０）と、
第１の端部（２３３）及び対向する第２の端部（２３５）を備えた冷却スリーブ（３００）と、を含み、
前記冷却スリーブが、前記内壁との間に環状通路（２３８）を形成するように該内壁に結合され、
前記第１の端部が環状入口（２３７）を形成し、
前記第２の端部が環状出口（３０６）を形成する、
移行部品（２３０）。
【請求項２】
前記冷却スリーブ（３００）が、その各々が少なくとも１つのシーム（４０４）に沿って前記内壁（２４０）の周りでほぼ円周方向に結合された第１の部材（４００）及び第２の部材（４０２）を含み、
前記第１の部材が、機械式ファスナ、クリンピング法及び溶接法の少なくとも１つを使用して前記第２の部材に結合される、
請求項１記載の移行部品（２３０）。
【請求項３】
前記環状通路（２３８）が、少なくとも１つの壁面から該環状通路内に少なくとも部分的に延びる少なくとも１つの軸方向リブ（５００）を含む、請求項１記載の移行部品（２３０）。
【請求項４】
前記環状通路（２３８）が、該環状通路の内部に形成されかつ該環状通路を通って円周方向に延びる少なくとも１つのリブ（５００）を含む、請求項１記載の移行部品（２３０）。
【請求項５】
前記冷却スリーブ（３００）が、該冷却スリーブと一体形に形成された少なくとも１つのリブ（５００）を含む、請求項１記載の移行部品（２３０）。
【請求項６】
前記少なくとも１つのリブ（５００）が、前記内壁と前記冷却スリーブとの間の熱伝達を高めるのを可能にする、請求項４記載の移行部品（２３０）。
【請求項７】
前記環状通路入口（２３７）が、該環状通路入口に結合された入口管（３０８）を含み、
前記入口管が、前記環状通路（２３８）内に冷却流体流れを送る、
請求項１記載の移行部品（２３０）。
【請求項８】
前記冷却スリーブ（３００）が、波形表面によって形成され、
前記波形表面が、前記冷却スリーブの構造強度を高めるのを可能にする、
請求項１記載の移行部品（２３０）。
【請求項９】
前記環状通路入口（２３７）が、その中に形成された少なくとも１つのアパーチャ（７００）を含み、
前記少なくとも１つのアパーチャが、前記環状通路（２３８）内に冷却流体流れを送るのを可能にする、
請求項７記載の移行部品（２３０）。
【請求項１０】
圧縮機（１０２）と、
前記圧縮機と流れ連通状態で結合されかつ少なくとも１つの移行部品（２３０）を備えた燃焼器と、
を含み、前記移行部品が、
内壁（２４０）と、
第１の端部（２３３）及び対向する第２の端部（２３５）を備えた冷却スリーブ（３００）と、を含み、
前記冷却スリーブが、前記内壁との間に環状通路（２３８）を形成するように該内壁に結合され、
前記第１の端部が環状入口（２３７）を形成し、
前記第２の端部が環状出口（３０６）を形成する、
ガスタービンエンジン組立体（１００）。
【発明の詳細な説明】
【技術分野】
【０００１】
本発明は、総括的にはガスタービンエンジンに関し、より具体的には、ガスタービンエンジン内部での移行ダクト冷却を強化するための方法及びシステムに関する。
【背景技術】
【０００２】
少なくとも幾つかの公知のガスタービンエンジンは、燃焼器内で燃料−空気混合気を点火燃焼させて燃焼ガスストリームを発生させ、この燃焼ガスストリームが、高温ガス流路を介してタービンに送られる。加圧空気は、圧縮機から燃焼器に送られる。公知の燃焼器組立体は一般的に、燃焼器の燃焼領域に燃料及び空気を送る燃料ノズルを使用する。タービンは、燃焼ガスストリームの熱エネルギーを機械エネルギーに変換してタービンシャフトを回転させる。タービンの出力を使用して、例えば発電機又はポンプなどの機械を駆動することができる。
【０００３】
少なくとも幾つかの公知の燃焼器組立体は、該燃焼器組立体からの燃焼ガスをタービン組立体に向けて送る移行ダクト又は移行部品を含む。少なくとも幾つかの公知の移行ダクトは、移行部品を囲んで該移行部品の冷却を行うための冷却空気を送る有孔冷却スリーブを含む。しかしながら、公知の冷却スリーブは、移行部品の一様でない冷却を引き起こす可能性があり、このことは温度勾配を増大させる可能性があり、この温度勾配の増大により、燃焼器ハードウェアの稼働寿命が短くなるおそれがある。その結果、燃焼器の一部分は、移行部品がより均一に冷却された場合よりも頻繁に交換を必要とすることになる。より高い温度及び／又はより大きい温度勾配を補償するために、幾つかの公知の燃焼器は、熱応力及び／又は摩耗に対してより耐性がある材料で製作された構成要素を含む。しかしながら、そのような構成要素は、そのような構成要素を含まない燃焼器を有するエンジンと比較して、エンジンのコスト及び重量を増加させる。
【０００４】
その他の公知の燃焼器組立体は、中空冷却スリーブを備えた移行ダクト用の冷却システムを含む。公知の冷却スリーブは、該冷却スリーブ内に形成されかつ移行部品の周りに冷却流れを送って該移行部品を冷却するのを可能にする複数のチャネル及び複雑な冷却通路を含む。しかしながら、そのような冷却スリーブは一般的に、製作するのが困難であり、また燃焼器組立体の製造コストを増加させる。さらに、そのようなスリーブ内部に設けられた複雑な冷却回路は、冷却通路のいずれかが汚染物質によって妨害状態及び／又は閉塞状態になった場合には、その冷却性能が低下する可能性がある。冷却効果の低下により、移行部品における作動温度の上昇、熱勾配の増大及び／又は熱応力の増加が生じる可能性がある。より高い温度及び／又はより大きな熱勾配を補償するために、少なくとも幾つかの公知の燃焼器は、より高い熱疲労耐性がある材料で製作された構成要素を含む。しかしながら、その他のそのような構成要素は、そのような材料を使用しないで製作された構成要素と比較して、製造するのに一層費用がかかるおそれがある。
【先行技術文献】
【特許文献】
【０００５】
【特許文献１】米国特許第７，３１０，９３８  Ｂ２号公報
【特許文献２】米国特許第７，１７８，３４１  Ｂ２号公報
【特許文献３】米国特許第６，８９０，１４８  Ｂ２号公報
【特許文献４】米国特許第６，７６９，２５７  Ｂ２号公報
【特許文献５】米国特許第６，５５３，７６６  Ｂ２号公報
【特許文献６】米国特許第６，４１２，２６８  Ｂ１号公報
【特許文献７】米国特許第６，２９８，６５６  Ｂ１号公報
【特許文献８】米国特許第６，２２０，０３６  Ｂ１号公報
【特許文献９】米国特許第６，１７３，５６１  Ｂ１号公報
【特許文献１０】米国特許第５，９０６，０９３号公報
【特許文献１１】米国特許第５，２３７，８１３号公報
【特許文献１２】米国特許第４，４２２，２８８号公報
【特許文献１３】米国特許第４，１９５，４７４号公報
【発明の概要】
【発明が解決しようとする課題】
【０００６】
したがって、ガスタービンエンジン内における移行ダクト冷却を強化するための方法及び装置が提供されることが望まれる。
【課題を解決するための手段】
【０００７】
１つの態様では、ガスタービンエンジンを組立てる方法を提供する。本方法は、第１の端部及び対向する第２の端部を備えた冷却スリーブを燃焼器組立体の内壁に結合して、該内壁及び冷却スリーブ間に環状通路を形成するようにするステップを含む。第１の端部に隣接して環状入口が形成され、また第２の端部に隣接して環状出口が形成される。
【０００８】
別の態様では、移行部品を提供する。本移行部品は、第１の端部及び対向する第２の端部を備えた冷却スリーブを含む。冷却スリーブは、移行部品の内壁の外表面に結合されて、該内壁との間に環状通路を形成するようになる。第１の端部は環状入口を形成し、また第２の端部は環状出口を形成する。
【０００９】
さらに別の態様では、ガスタービンエンジンを提供する。本ガスタービンエンジンは、圧縮機と、該圧縮機と流れ連通状態で結合された燃焼器とを含む。燃焼器は、少なくとも１つの移行部品を含み、移行部品はさらに、内壁と冷却スリーブとを含む。冷却スリーブは、第１の端部及び対向する第２の端部を含み、かつ
内壁との間に環状通路を形成するように該内壁に結合される。第１の端部は環状入口を形成し、また第２の端部は環状出口を形成する。
【図面の簡単な説明】
【００１０】
【図１】例示的なガスタービンエンジンの概略図。
【図２】図１に示すガスタービンエンジンで使用することができる例示的な燃焼器の概略断面図。
【図３】図２に示す燃焼器で使用することができる冷却スリーブを備えた例示的な移行部品の拡大概略断面図。
【図４】図１に示す燃焼器で使用することができる例示的な冷却スリーブの組立斜視図。
【図５】図１に示す燃焼器で使用することができる例示的な冷却スリーブの部分切欠図。
【図６】図１に示す燃焼器で使用することができる例示的な波形冷却スリーブの組立斜視図。
【図７】別の冷却空気入口を備えた例示的な冷却スリーブの組立斜視図。
【発明を実施するための形態】
【００１１】
図１は、例示的なガスタービンエンジン１００の概略図である。エンジン１００は、圧縮機１０２と燃焼器組立体１０４とを含む。エンジン１００はまた、タービン１０８と共通圧縮機／タービンシャフト１１０（ロータと呼ばれることが多い）とを含む。
【００１２】
運転中に、空気は圧縮機１０２を通って流れて、加圧空気が、燃焼器組立体１０４に供給されるようになる。燃焼器組立体１０４内部に形成された燃焼領域（図示せず）に燃料が送られ、燃料は空気と混合されかつその混合気が点火燃焼される。発生した燃焼ガスは、タービン１０８に送られ、タービン１０８において、熱エネルギーが機械的回転エネルギーに変換される。タービン１０８は、シャフト１１０に対して回転可能に結合される。
【００１３】
図２は、燃焼器組立体１０４の一部分の概略断面図である。燃焼器組立体１０４は、タービン組立体１０８及び圧縮機組立体１０２と流れ連通状態で結合される。圧縮器組立体１０２は、互いに流れ連通状態で結合されたディフューザ１１２及び圧縮機吐出プレナム１１４を含む。
【００１４】
この例示的な実施形態では、燃焼器組立体１０４は、複数の燃料ノズル２２２に対して構造的支持を与えるエンドカバー２２０を含む。エンドカバー２２０は、保持金具（図２には示さず）を用いて燃焼器ケーシング２２４に結合される。燃焼器ケーシング２２４の半径方向内側に燃焼器ライナ２２６を結合して、該燃焼器ライナ２２６が、燃焼チャンバ２２８を形成するようにする。燃焼器ケーシング２２４と燃焼器ライナ２２６との間に、環状燃焼チャンバ冷却通路２２９が延びる。
【００１５】
移行ダクト又は移行部品２３０が燃焼チャンバ２２８に結合されて、該チャンバ２２８内で発生した燃焼ガスをタービンノズル２３２に向けて送る。この例示的な実施形態では、移行部品２３０は、外壁２３６及び半径方向内壁２４０を備えた二重壁ダクトとして製作される。移行部品２３０はまた、内壁２４０と外壁２３６との間に形成された環状通路２３８を含む。内壁２４０はまた、燃焼ガス用の案内空洞２４２を形成する。より具体的には、この例示的な実施形態では、移行部品２３０は、各燃焼チャンバ２２８の燃焼チャンバ出口端部２３５とタービンノズル２３２の入口端部２３３との間で延びて、燃焼ガスをタービン１０８内に送る。
【００１６】
運転中に、タービン組立体１０８は、シャフト１１０（図１に示す）を介して圧縮機組立体１０２を駆動する。圧縮機組立体１０２が回転すると、図２に矢印で示すように、加圧空気がディフューザ１１２内に吐出される。この例示的な実施形態では、圧縮機組立体１０２から吐出された空気の大部分は、圧縮機吐出プレナム１１４を通して燃焼器組立体１０４に向けて送られ、また加圧空気の残りの部分は、エンジン１００の構成要素を冷却するのに使用するために下流方向に送られる。より具体的には、プレナム１１４内の高圧加圧空気は、通路２３８を介して移行部品２３０内に送られる。空気は次に、移行部品環状通路２３８から燃焼チャンバ冷却通路２２９内に送られた後に、該通路２２９から燃料ノズル２２２内に吐出される。
【００１７】
燃料及び空気は、燃焼チャンバ２２８内で混合されかつ点火燃焼される。ケーシング２２４は、例えば周囲のタービン構成要素のような外部環境から燃焼チャンバ２２８を隔離するのを可能にする。発生した燃焼ガスは、燃焼チャンバ２２８から移行部品案内空洞２４２を通してタービンノズル２３２に向けて送られる。１つの例示的な実施形態では、燃料ノズル組立体２２２は、燃料ノズルフランジ２４４によりエンドカバー２２０に結合される。
【００１８】
図３は、冷却スリーブ３００を備えた移行部品２３０の拡大断面図である。冷却スリーブ３００は、移行部品２３０の内壁２４０を囲むような寸法にされて、該移行部品２３０との間に環状通路２３８を形成するようになっている。それに代えて、環状通路２３８は、特定の冷却用途での必要に応じてその他の空間ギャップを形成することができる。この例示的な実施形態では、冷却スリーブ３００は、前方フレーム部３０２から後方フレーム部３０４まで延びる。他の実施形態では、本明細書で説明する冷却スリーブ３００により、様々な構成及び構造後方フレーム（図示せず）を使用することができる。後方フレーム３０４に隣接して、環状通路入口２３７が形成される。入口２３７は、環状通路２３８を囲む。前方フレーム部３０２に隣接して、対応する環状通路出口３０６が形成される。冷却スリーブ３００は、その構成がほぼ無孔であり、かつ一般的にその長さ及び円周部に沿ってアパーチャがない。この例示的な実施形態では、通路入口２３７に隣接して丸味付き入口管３０８を配置して、入口２３７に対する構造的支持を与えると同時に、通路２３８内に冷却空気流を送るのを可能にする。
【００１９】
１つの実施形態では、図４に示すように、冷却スリーブ３００は、移行部品内壁２４０の周りに組立てられたマルチピース組立体として製作することができる。そのような実施形態では、冷却スリーブ３００は、第１の部材４００及び対向する第２の部材４０２を含む。より具体的には、この例示的な実施形態では、第２の部材４０２は、第１の部材４００の鏡像構成要素である。図４に示すように、第１の部材４００は、移行部品２３０のほぼ半分の周りに延び、また第２の部材４０２は、移行部品２３０の残り半分の周りに延びる。互いに結合されると、第１及び第２の部材（４００及び４０２）の両方は、移行部品２３０の中心軸線にほぼ沿って延びるシーム４０４を形成する。第１及び第２の部材４００及び４０２は、それに限定されないが、ボルト止め、シーム溶接、金属成形（クリンピング）又はそれらのあらゆる組合せのような１つ又はそれ以上の機械式締結法によってシーム４０４において接合することができる。その他の実施形態では、シーム４０４は、移行部品２３０に対してその他の位置に形成することができる。例えば、冷却スリーブ３００は、移行部品２３０の周りで円周方向に延びかつ該移行部品２３０に対して構造的支持を与える複数のリング部材（図示せず）を含むことができる。
【００２０】
図５は、図１に示す燃焼器で使用することができる例示的な冷却スリーブの部分切欠図を示している。この例示的な実施形態では、スリーブ３００は、環状通路２３８内に配置されて該冷却スリーブ３００に対して構造的支持を与える複数の軸方向リブ５００を含む。軸方向リブ５００は、移行部品２３０の外表面５０２に結合することができ、或いはそれに代えて、軸方向リブ５００は、冷却スリーブ３００の内表面５０４に結合することができる。軸方向リブ５００の個数、高さ及び間隔は、特定の冷却要件、圧力低下要件及び構造要件に基づいて可変に選択される。
【００２１】
冷却要件は、それに限定されないが、必要な材料絶対温度及び温度勾配を生じるような必要流体特性、質量流量、流れ速度及び得られた熱伝達特性として定められる。圧力低下要件は、それに限定されないが、システム性能要件を満たすために必要な入口及び出口圧力間の差として定められる。構造要件は、それに限定されないが、絶対材料温度特性、熱勾配疲労特性、熱たわみ、振動たわみ及び振動疲労特性として定められる。
【００２２】
別の実施形態では、円周方向リブ５０６は、冷却スリーブ３００と一体形に形成することができる。例えば、円周方向リブ５０６は、冷却スリーブ３００の外表面５０８から外向きに延びかつ該外表面５０８を囲むことができる。それに代えて、円周方向リブ５０６は、環状通路２３８内で冷却スリーブ内表面５０４から延びることができる。リブ５０６の個数、高さ及び間隔は、特定の冷却要件、圧力低下要件及び構造要件に基づいて可変に選択される。
【００２３】
図６は、図１に示す燃焼器で使用することができる例示的な波形冷却スリーブの組立斜視図を示している。この例示的な実施形態では、冷却スリーブ３００は、波形でありかつ交互する頂部６００及び谷部６０２が形成された起伏外表面を含む。冷却通路６０４は、頂部６００と谷部６０２との間に形成されて、複数の波形部６０６が冷却スリーブ３００の周りで円周方向に間隔を置いて配置されるようになる。波形部６０６の個数、高さ及び間隔は、特定の冷却要件、圧力低下要件及び構造要件に基づいて可変に選択される。
【００２４】
図７は、別の冷却空気入口を備えた例示的な冷却スリーブの組立斜視図である。この例示的な実施形態では、冷却スリーブ３００は、通路２３７がその中に形成された複数のアパーチャ７００を含むように形成される。アパーチャ７００は、後方フレーム３０４に隣接して形成される。この例示的な実施形態では、冷却スリーブ３００は、後方フレーム３０４に形成された保持スロット７０２内に延びる。アパーチャ７００は、冷却スリーブ３００の周りで円周方向に間隔を置いて配置されかつ後方フレーム３０４に隣接して設けられる。各アパーチャ７００は、冷却スリーブ３００を貫通しかつ環状通路２３８内に延びる。アパーチャ７００の個数、形状及び間隔は、スリーブ３００の特定の冷却要件、圧力低下要件及び構造要件に基づいて可変に選択される。
【００２５】
運転時には、冷却スリーブ３００は、それを通って流れる冷却流体用の環状通路２３８を構成する。この例示的な実施形態では、冷却流体は、圧縮機吐出プレナム１１４（図１に示す）から環状入口２３７及び／又はアパーチャ７００を介して通路２３８内に流れる。冷却流体は次に、通路２３８を通って流れて移行ダクト２３０と冷却流体との間での対流熱伝達を可能にする。１つの実施形態では、環状通路内に配置した軸方向リブ５００により、冷却スリーブ３００の構造的補強が得られかつ冷却流体と移行ダクトとの間での熱伝達の強化が可能になる。運転中に、アパーチャ７００は、冷却流体流れが環状通路２３８内に送られるのを可能にする。円周方向リブ５０６は、冷却スリーブ３００に対して構造的支持を与える。リブ５０６が通路２３８内に配置されている場合での運転時には、通路２３８内での流体動的流れを変更しかつ該通路２３８内での熱伝達を高める空気力学的トリップが形成される。
【００２６】
本明細書で説明した本発明により、公知の移行ダクト冷却スリーブに勝る幾つかの利点が得られる。例えば、冷却スリーブの簡単さが高まることにより、熱応力が低下する。さらに、本明細書で説明した冷却スリーブは、環状通路内での均一な冷却流体流れの結果として高い平均熱伝達及びより均一な冷却作用を有する。加えて、応力集中及び／又は非均一冷却によって生じる高サイクル疲労を減少させることが可能になる。さらに、冷却スリーブと移行ダクトとの間でのダクト流れを簡単にすることによって全体的な燃焼器システム圧力低下（損失）を減少させることが可能になる。また、冷却スリーブにより、大量のかつより均一な熱伝達冷却流体流れがえられる結果として、より制御可能かつより定量化可能な熱伝達係数が可能になる。
【００２７】
以上、ガスタービンエンジン内における移行ダクト冷却を強化する方法及びシステムの例示的な実施形態について詳細に説明（記載）している。本方法及びシステムは、本明細書に記載した特定の実施形態に限定されるものではなく、むしろ、本システムの構成要素及び／又は本方法のステップは、本明細書に記載したその他の構成要素及び／又はステップとは独立してかつ別個に利用することができる。例えば、本方法はまた、その他の冷却システム及び方法と組合せて使用することができ、また本明細書に記載したような移行ダクト冷却システム及び方法での実施のみに限定されるものではない。むしろ、これらの例示的な実施形態は、その他の多くの冷却用途に関して実施しかつ利用することができる。
【００２８】
本発明の様々な実施形態の特定の特徴は、幾らかの図面には示しまた他の図面には示していない場合があるが、それは単に便宜上によるものである。本発明の原理によると、図面のあらゆる特徴は、あらゆるその他の図面のあらゆる特徴と組合せて言及しかつ／又は特許請求することができる。
【００２９】
本明細書は最良の形態を含む幾つかの実施例を使用して、本発明を開示し、さらにあらゆる装置又はシステムを製作しかつ使用しまたあらゆる組込み方法を実行することを含む本発明の当業者による実施を可能にする。本発明の特許性がある技術的範囲は、特許請求の範囲によって定まり、また当業者が想到するその他の実施例を含むことができる。そのようなその他の実施例は、それらが特許請求の範囲の文言と相違しない構造的要素を有するか又はそれらが特許請求の範囲の文言と本質的でない相違を有する均等な構造的要素を含む場合には、特許請求の範囲の技術的範囲内に属することになることを意図している。
【００３０】
本発明を様々な特定の実施形態に関して説明してきたが、本発明が特許請求の範囲の技術思想及び技術的範囲内の変更で実施することができることは、当業者には分かるであろう。
【符号の説明】
【００３１】
１００  ガスタービンエンジン
１０２  圧縮機組立体
１０４  燃焼器組立体
１０８  タービン組立体
１１０  圧縮機／タービンシャフト
１１２  ディフューザ
１１４  圧縮機吐出プレナム
２２０  エンドカバー
２２２  燃料ノズル組立体
２２４  燃焼器ケーシング
２２６  燃焼器ライナ
２２８  燃焼チャンバ
２２９  燃焼チャンバ冷却通路
２３０  ダクト又は移行部品
２３２  タービンノズル
２３３  入口端部
２３５  出口端部
２３６  外壁
２３７  通路入口
２３８  移行部品環状通路
２４０  内壁
２４２  案内空洞
２４４  燃料ノズルフランジ
３００  冷却スリーブ
３０２  前方フレーム
３０４  後方フレーム
３０６  環状通路出口
３０８  丸味付き入口管
４００  第１の部材
４０２  第２の部材
４０４  シーム
５００  軸方向リブ
５０２  外表面
５０４  冷却スリーブ内表面
５０６  円周方向リブ
５０８  外表面
６００  頂部
６０２  谷部
６０４  冷却通路
６０６  波形部
７００  アパーチャ
７０２  保持スロット
【図１】
2010159753.tif 000003
【図２】
2010159753.tif 000004
【図３】
2010159753.tif 000005
【図４】
2010159753.tif 000006
【図５】
2010159753.tif 000007
【図６】
2010159753.tif 000008
【図７】
2010159753.tif 000009